(57)【要約】【課題】階層化マルチキャスト通信システム、局側終端装置及び加入者側終端装置に関し、ＧＥ−ＰＯＮシステムに階層化マルチキャスト機能を適用し、ネットワークのトラフック状況に適応した階層化マルチキャスト通信を行い、ネットワークの利用効率を向上させる。【解決手段】局側終端装置１−１は、階層化マルチキャスト送信装置１−５から受信された各パケットに対して、各々の階層毎に異なるＧＥ−ＰＯＮレイヤの論理リンク識別情報（ＬＬＩＤ）を割り当てて、それぞれの階層毎のキューに振り分け、該階層化マルチキャストの各パケットを優先度に応じたＱｏｓ処理を行い、加入者側終端装置１−２へ送信する。加入者側終端装置１−２は、階層化マルチキャストデータのパケットを、ＬＬＩＤを基に自装置内に取り込み、ＬＬＩＤを基に階層毎のキューに振り分け、優先度に応じたＱｏｓ処理を行ってマルチキャスト受信装置１−６へ送信する。【選択図】図１
2008219706.tif 000002
【特許請求の範囲】
【請求項１】
局側終端装置、該局側終端装置と光スプリッタを介して接続された複数の加入者側終端装置、該局側終端装置の上位ネットワークに接続された階層化マルチキャスト送信装置、及び各加入者側終端装置の下位に接続されたマルチキャスト受信装置から構成される階層化マルチキャスト通信システムにおいて、
前記階層化マルチキャスト送信装置は、映像・音声データを、基本階層及び複数の拡張階層に符号化した階層化マルチキャストデータをネットワークにマルチキャスト送信する手段を備え、
前記局側終端装置は、前記階層化マルチキャスト送信装置から受信されたマルチキャストデータの各パケットに対して、各々の階層毎に異なるＧＥ−ＰＯＮレイヤの論理リンク識別情報（ＬＬＩＤ：Logic link ID）を割り当て、階層化マルチキャストデータの各パケットをそれぞれの階層毎のキューに振り分け、該階層毎のキューに振り分けた階層化マルチキャストデータの各パケットを、優先度に応じた送出制御を行って、前記加入者側終端装置へ送信する手段を備え、
前記加入者側終端装置は、前記局側終端装置から受信された階層化マルチキャストデータのパケットを、該パケットに付与された論理リンク識別情報（ＬＬＩＤ）を基に、自装置内に取り込み、該階層化マルチキャストデータの各パケットを、該論理リンク識別情報（ＬＬＩＤ）を基に、階層毎のキューに振り分け、該階層毎のキューに振り分けた階層化マルチキャストデータの各パケットを、優先度に応じた送出制御を行って、前記マルチキャスト受信装置へ送信する手段を備えた
ことを特徴とする階層化マルチキャスト通信システム。
【請求項２】
光スプリッタを介して複数の加入者側終端装置と接続され、かつ、上位ネットワークを介して階層化マルチキャスト送信装置と接続された局側終端装置において、
前記階層化マルチキャスト送信装置から受信された階層化マルチキャストデータの各パケットを、該パケットのスヌーピングにより、階層化マルチキャスト用ＱｏＳ部へ振り分けるパケットフィルタリング／振り分け部を備え、
前記階層化マルチキャスト用ＱｏＳ部において、階層化マルチキャストデータの各パケットに対して、各々の階層毎に異なるＧＥ−ＰＯＮレイヤの論理リンク識別情報（ＬＬＩＤ：Logic link ID）を割り当て、階層化マルチキャストデータの各パケットをそれぞれの階層毎のキューに振り分ける階層クラス分け部と、該階層毎のキューに振り分けた階層化マルチキャストデータの各パケットを、優先度に応じた送出制御を行うＱｏｓ部とを備え、
前記階層化マルチキャスト用ＱｏＳ部から出力される前記階層化マルチキャストデータの各パケットを、他のパケットとの優先度に応じた送出制御を行って、前記加入者側終端装置へ送信する手段を備えたことを特徴とする局側終端装置。
【請求項３】
光スプリッタを介して局側終端装置と接続され、かつ、下位にマルチキャスト受信装置が接続された加入者側終端装置において、
前記局側終端装置から受信された階層化マルチキャストデータの各パケットを、該パケットのスヌーピングにより、階層化マルチキャスト用ＱｏＳ部へ振り分けるパケットフィルタリング／振り分け部を備え、
前記階層化マルチキャスト用ＱｏＳ部において、階層化マルチキャストデータの各パケットを、該パケットに付与された、各々の階層毎に異なるＧＥ−ＰＯＮレイヤの論理リンク識別情報（ＬＬＩＤ：Logic link ID）を基に、それぞれの階層毎のキューに振り分ける階層クラス分け部と、該階層毎のキューに振り分けた階層化マルチキャストデータの各パケットを、優先度に応じた送出制御を行うＱｏｓ部とを備え、
前記階層化マルチキャスト用ＱｏＳ部から出力される前記階層化マルチキャストデータの各パケットを、他のパケットとの優先度に応じた送出制御を行って、前記下位のマルチキャスト受信装置へ送信する手段を備えたことを特徴とする加入者側終端装置。
【発明の詳細な説明】
【技術分野】
【０００１】
本発明は、階層化マルチキャスト通信システム、局側終端装置及び加入者側終端装置に関し、各受信者が受信可能な帯域に応じてストリームデータを配信する階層化マルチキャスト機能の技術と、光ファイバーによるインターネット接続サービス技術で、従来ＬＡＮ（Local Area Network）で使われてきたギガビットイーサネット（登録商標）の規格を応用した、イーサネット（登録商標）のフレームが送受信可能なＧＥ−ＰＯＮシステムの技術とを組み合わせたものである。
【背景技術】
【０００２】
音声や映像などのストリームデータを、ネットワークを介して多数の受信者に同時に配信する放送型アプリケーションでは、マルチキャストを用いることにより、ネットワークの利用効率を上げることができる。ただし、通常のマルチキャストでは、送信レートが単一であるため、各々の受信者の利用可能な帯域幅に最も適したレートにて送信することは、送信者が適応的なレート制御を行っても困難となる。
【０００３】
これを解決する方式として、送信者が１つのストリームデータを、１つの低ビットレートの基本階層と、該基本階層より高品質のストリームデータを順次与える複数の拡張階層とに分けて符号化し、各々の階層毎にマルチキャストパケットを送信する階層化マルチキャスト方式が提案されている。この方式では、受信者側の装置で、基本階層から順により上位に近い拡張階層のストリームデータを、自装置に合わせて選択して復号化することで、各々の受信者の利用可能な帯域幅に最も適した品質のストリームデータが得られる。
【０００４】
上述の階層化マルチキャスト方式については、下記の特許文献１及び２等に記載されている。特許文献１には、階層化マルチキャスト方式において、伝送帯域幅に余裕が無い受信装置においても、重要性の高い時間帯の画像を高品質に再生することが可能な画像伝送方法等について記載され、特許文献２には、階層化マルチキャストのネットワーク側主導方式を既存ネットワークに容易に適用できる方法を示すとともに、輻輳発生時にユーザの利用可能なネットワーク帯域に対して、即座に転送階層数を決定し、迅速なレート制御が実現できる階層符号化データ転送制御システム等について記載されている。
【特許文献１】特開２００５−１５１１７６号公報
【特許文献２】特開２００６−３４６２４２号公報
【発明の開示】
【発明が解決しようとする課題】
【０００５】
本発明では、アクセスネットワークでよく用いられマルチキャスト通信と親和性の高いＧＥ−ＰＯＮシステムに、上記の階層化マルチキャスト機能を適用し、ネットワークのトラフィック状況に適応した階層化マルチキャスト通信を行うことにより、ネットワークの利用効率を向上させることを目的とする。
【課題を解決するための手段】
【０００６】
本発明の階層化マルチキャスト通信システムは、局側終端装置、該局側終端装置と光スプリッタを介して接続された複数の加入者側終端装置、該局側終端装置の上位ネットワークに接続された階層化マルチキャスト送信装置、及び各加入者側終端装置の下位に接続されたマルチキャスト受信装置から構成される階層化マルチキャスト通信システムにおいて、前記階層化マルチキャスト送信装置は、映像・音声データを、基本階層及び複数の拡張階層に符号化した階層化マルチキャストデータをネットワークにマルチキャスト送信する手段を備え、前記局側終端装置は、前記階層化マルチキャスト送信装置から受信されたマルチキャストデータの各パケットに対して、各々の階層毎に異なるＧＥ−ＰＯＮレイヤの論理リンク識別情報（ＬＬＩＤ）を割り当て、階層化マルチキャストデータの各パケットをそれぞれの階層毎のキューに振り分け、該階層毎のキューに振り分けた階層化マルチキャストデータの各パケットを、優先度に応じた送出制御を行って、前記加入者側終端装置へ送信する手段を備え、前記加入者側終端装置は、前記局側終端装置から受信された階層化マルチキャストデータのパケットを、該パケットに付与された論理リンク識別情報（ＬＬＩＤ）を基に、自装置内に取り込み、該階層化マルチキャストデータの各パケットを、該論理リンク識別情報（ＬＬＩＤ）を基に、階層毎のキューに振り分け、該階層毎のキューに振り分けた階層化マルチキャストデータの各パケットを、優先度に応じた送出制御を行って、前記マルチキャスト受信装置へ送信する手段を備えたことを特徴とする。
【０００７】
また、本発明の局側終端装置は、光スプリッタを介して複数の加入者側終端装置と接続され、かつ、上位ネットワークを介して階層化マルチキャスト送信装置と接続された局側終端装置において、前記階層化マルチキャスト送信装置から受信された階層化マルチキャストデータの各パケットを、該パケットのスヌーピングにより、階層化マルチキャスト用ＱｏＳ部へ振り分けるパケットフィルタリング／振り分け部を備え、前記階層化マルチキャスト用ＱｏＳ部において、階層化マルチキャストデータの各パケットに対して、各々の階層毎に異なるＧＥ−ＰＯＮレイヤの論理リンク識別情報（ＬＬＩＤ）を割り当て、階層化マルチキャストデータの各パケットをそれぞれの階層毎のキューに振り分ける階層クラス分け部と、該階層毎のキューに振り分けた階層化マルチキャストデータの各パケットを、優先度に応じた送出制御を行うＱｏｓ部とを備え、前記階層化マルチキャスト用ＱｏＳ部から出力される前記階層化マルチキャストデータの各パケットを、他のパケットとの優先度に応じた送出制御を行って、前記加入者側終端装置へ送信する手段を備えたことを特徴とする。
【０００８】
また、本発明の加入者側終端装置は、光スプリッタを介して局側終端装置と接続され、かつ、下位にマルチキャスト受信装置が接続された加入者側終端装置において、前記局側終端装置から受信された階層化マルチキャストデータの各パケットを、該パケットのスヌーピングにより、階層化マルチキャスト用ＱｏＳ部へ振り分けるパケットフィルタリング／振り分け部を備え、前記階層化マルチキャスト用ＱｏＳ部において、階層化マルチキャストデータの各パケットを、該パケットに付与された、各々の階層毎に異なるＧＥ−ＰＯＮレイヤの論理リンク識別情報（ＬＬＩＤ：Logical link ID）を基に、それぞれの階層毎のキューに振り分ける階層クラス分け部と、該階層毎のキューに振り分けた階層化マルチキャストデータの各パケットを、優先度に応じた送出制御を行うＱｏｓ部とを備え、前記階層化マルチキャスト用ＱｏＳ部から出力される前記階層化マルチキャストデータの各パケットを、他のパケットとの優先度に応じた送出制御を行って、前記下位のマルチキャスト受信装置へ送信する手段を備えたことを特徴とする。
【発明の効果】
【０００９】
本発明によれば、アクセスネットワークでよく用いられマルチキャスト通信と親和性の高いＧＥ−ＰＯＮシステムにおける論理リンク識別情報（ＬＬＩＤ）を、階層化マルチキャストの階層毎に異なる値として、階層化マルチキャストデータの各パケットに付与し、該論理リンク識別情報（ＬＬＩＤ）を基に、階層化マルチキャストデータの各パケットを階層毎のキューに振り分けて、ＱｏＳ処理することにより、ネットワークのトラフック状況に適応した階層化マルチキャスト通信を容易に行うことが可能となり、ネットワークの利用効率を向上させることができる。
【００１０】
また、局側終端装置（ＯＬＴ）で該論理リンク識別情報（ＬＬＩＤ）を各々の階層のデータパケット毎に割り当てて送信し、加入者側終端装置（ＯＮＵ）では、階層化マルチキャストパケットの各階層を、該ＬＬＩＤの値を基に識別して下位のトラフック状況に適応した配信を下位の受信装置へ行うことができ、加入者側終端装置（ＯＮＵ）での階層化マルチキャストパケットの配信処理が簡単に可能となる。
【発明を実施するための最良の形態】
【００１１】
本発明のマルチキャスト通信システムの構成を図１に示す。本発明のマルチキャスト通信システムは、通信事業者の局舎に設置される局側終端装置（ＯＬＴ：Optical Line Terminal）１−１、及び該局側終端装置（ＯＬＴ）と光スプリッタ１−３を介して接続され、加入者宅に設置される複数の加入者側終端装置（ＯＮＵ：Optical Network Unit）１−２から構成されるＧＥ−ＰＯＮシステムと、局側終端装置（ＯＬＴ）１−１の上位ネットワーク１−４に接続される階層化マルチキャスト送信装置１−５と、各加入者側終端装置（ＯＮＵ）１−２の下位に接続されるマルチキャスト受信装置１−６とから構成される。
【００１２】
各マルチキャスト受信装置１−６は、ＩＧＭＰ（Internet Group Management Protocol）又はＭＬＤ（Multicast Listener Discovery Protocol）のプロトロルを具備し、受信者が映像・音声の視聴のために映像・音声データの配信要求を行うと、階層化マルチキャスト送信装置１−５に対し、参加要求（ｊｏｉｎ）を送出する。参加要求（ｊｏｉｎ）を受けた階層化マルチキャスト送信装置１−５は、該映像・音声データを、基本階層及び複数の拡張階層（図１の例では２つ）に符号化した階層化マルチキャストデータをネットワーク１−４にマルチキャスト送信する。
【００１３】
上記ネットワーク１−４を介して階層化マルチキャストデータを受信した局側終端装置（ＯＬＴ）１−１は、局側終端装置（ＯＬＴ）１−１よりも下位のネットワークの輻較状態に応じて、上位の拡張階層をフィルタリングし、基本階層及びフィルタリングされない拡張階層の映像・音声データを加入者側終端装置（ＯＮＵ）１−２に転送する。図１では、拡張階層２をフィルタリングし、基本階層及び拡張階層１の映像・音声データを転送する例を示している。
【００１４】
ＧＥ−ＰＯＮシステムを介して階層化マルチキャストデータを受信した加入者側終端装置（ＯＮＵ）１−２は、加入者側終端装置（ＯＮＵ）１−２より下位のネットワークの輻輳状態に応じて、上位の拡張階層をフィルタリングし、基本階層及びフィルタリングされない拡張階層の映像・音声データを加入者側終端装置（ＯＮＵ）１−２配下に転送する。図１では、加入者側終端装置（ＯＮＵ＃１）ではフィルタリングせずに基本階層及び拡張階層１の映像・音声データを転送し、加入者側終端装置（ＯＮＵ＃ｎ）では拡張階層１をフィルタリングして基本階層の映像・音声データを転送する例を示している。
【００１５】
上述の動作を実現するために、階層化マルチキャストパケットに対し、ＧＥ−ＰＯＮレイヤにおける論理リンク識別情報（ＬＬＩＤ：Logical link ID）を、各々の階層のデータパケット毎に割り当てる。論理リンク識別情報（ＬＬＩＤ）は、イーサネット（登録商標）フレームのプリアンブルに収容され、各加入者側終端装置（ＯＮＵ）１−２は、受信したパケットが自分（配下の端末を含む）宛てであるかどうかを、該論理リンク識別情報（ＬＬＩＤ）を基に判断するために使用される。
【００１６】
該論理リンク識別情報（ＬＬＩＤ）の値は、加入者側終端装置（ＯＮＵ）１−２の登録時に、局側終端装置（ＯＬＴ）１−１によって、配下の加入者側終端装置（ＯＮＵ）１−２で重複が起こらないように決定され、該決定された論理リンク識別情報（ＬＬＩＤ）の値は、加入者側終端装置（ＯＮＵ）１−２へ通知される。
【００１７】
本発明は、局側終端装置（ＯＬＴ）１−１で該論理リンク識別情報（ＬＬＩＤ）を各々の階層のデータパケット毎に割り当て、加入者側終端装置（ＯＮＵ）１−２で階層化マルチキャストパケットの各階層を該ＬＬＩＤの値を基に識別して配信することにより、加入者側終端装置（ＯＮＵ）１−２側での受信処理が簡単に行えるようにしたものである。
【００１８】
以下に局側終端装置（ＯＬＴ）及び加入者側終端装置（ＯＮＵ）の構成例を示す。
（１）局側終端装置（ＯＬＴ）の構成
図２に局側終端装置（ＯＬＴ）の機能ブロックを示す。局側終端装置（ＯＬＴ）は、パケットフィルタリング／振り分け部２−１、ＩＧＭＰ／ＭＬＤスヌーピング部２−２、階層化マルチキャスト用ＱｏＳ部２−３、通常ユニキャスト・ブロードキャストパケットクラシファイヤー部２−４、ＱｏＳ部２−５、及びＧＥ−ＰＯＮ終端部２−６から構成される。
【００１９】
局側終端装置（ＯＬＴ）では、上位ネットワークから送信された映像・音声データのパケットを、パケットフィルタリング／振り分け部２−１に入力する。パケットフィルタリング／振り分け部２−１では、入力されるパケットがＩＧＭＰ／ＭＬＤスヌーピング部２−２により覗き見され、ＩＧＭＰ／ＭＬＤスヌーピング部２−２は、階層化マルチキャストパケットを階層化マルチキャスト用ＱｏＳ部２−３へ振り分けるよう、パケットフィルタリング／振り分け部２−１に指示する。
【００２０】
パケットフィルタリング／振り分け部２−１は、ＩＧＭＰ／ＭＬＤスヌーピング部２−２の指示に従って、階層化マルチキャストパケットを階層化マルチキャスト用ＱｏＳ部２−３へ、通常のユニキャストパケット、ブロードキャストパケットを通常ユニキャスト・ブロードキャストパケットクラシファイヤー部２−４に振り分けて送出する。
【００２１】
階層化マルチキャスト用ＱｏＳ部２−３は、入力された階層化マルチキャストパケットを、階層クラス分け部２−３１により、基本階層と各拡張階層とにクラス分けし、各々のキュー２−３３〜２−３３２に振り分けて格納する。図２の構成例では、基本階層、拡張階層１及び拡張階層２から成る階層化マルチキャストパケットを受信する例を示し、入力された階層化マルチキャストパケットを、基本階層用キュー２−３３、拡張階層１用キュー２−３３１、拡張階層２用キュー２−３３２に振り分ける構成例を示している。
【００２２】
基本階層用キュー２−３３、拡張階層１用キュー２−３３１及び拡張階層２用キュー２−３３２に格納された各階層化マルチキャストパケットは、ＱｏＳ部２−３５により優先度に応じた送出制御が行われた後、ＱｏＳ部２−５内の予め設定されたキューに出力される。図２では、階層化マルチキャストパケットがＱｏＳ部２−５のキュー２に格納される例を示している。
【００２３】
また、階層クラス分け部２−３１では、基本階層及び各拡張階層のパケットに、それぞれ異なる論理リンク識別情報（ＬＬＩＤ）の値を付与し、図２では、基本階層にはＬＬＩＤ＝ｘ、拡張階層１にはＬＬＩＤ＝ｙ、拡張階層２にはＬＬＩＤ＝ｚを付与する例を示している。
【００２４】
また、各拡張階層のキュー２−３３１，２−３３２は、キュー流量監視部２−３４により平均キュー長が監視され、平均キュー長が閾値を越えた場合、キュー流量監視部２−３４は、ネットワークの輻輳が発生していると判断し、該当する拡張階層キューの前段のフィルタ２−３２１，２−３２２により、各拡張階層のパケットの各キューへの流入をフィルタリングし、平均キュー長が閾値以下になった場合に、ネットワークの輻輳が解消されたと判断し、該当する拡張階層のフィルタリングを解除する。
【００２５】
ＱｏＳ部２−５は、階層化マルチキャストパケット及び通常のユニキャストパケット・ブロードキャストパケットのＱｏＳ処理を行い、ＧＥ−ＰＯＮ終端部２−６に転送する。ＧＥ−ＰＯＮ終端部２−６では、ＧＥ−ＰＯＮレイヤ処理を行い、各パケットをフレーム化し、加入者側終端装置（ＯＮＵ）１−２と通信を行い、各パケットの送出を行う。
【００２６】
（２）加入者側終端装置（ＯＮＵ）の構成
図３に加入者側終端装置（ＯＮＵ）の機能ブロックを示す。加入者側終端装置（ＯＮＵ）は、ＧＥ−ＰＯＮ終端部３−１、パケットフィルタリング／振り分け部３−２、ＩＧＭＰ／ＭＬＤスヌーピング部３−３、階層化マルチキャスト用ＱｏＳ部３−４、通常ユニキャスト／ブロードキャストパケットクラシファイヤー部３−５、及びＱｏＳ部３−６から構成される。
【００２７】
加入者側終端装置（ＯＮＵ）は、局側終端装置（ＯＬＴ）から受信される各パケットに対して、ＧＥ−ＰＯＮ終端部３−１によりＧＥ−ＰＯＮレイヤの終端処理を行い、自装置の論理リンク識別情報（ＬＬＩＤ）、ブロードキャスト論理リンク識別情報（ＬＬＩＤ）、各階層化マルチキャスト論理リンク識別情報（ＬＬＩＤ）を有するパケットをパケットフィルタリング／振り分け部３−２に送出する。
【００２８】
パケットフィルタリング／振り分け部３−２では、入力されるパケットがＩＧＭＰ／ＭＬＤスヌーピング部３−２により覗き見され、ＩＧＭＰ／ＭＬＤスヌーピング部３−２は、各パケットに付与された論理リンク識別情報（ＬＬＩＤ）を見て、該論理リンク識別情報（ＬＬＩＤ）を基に、各パケットを振り分けるようパケットフィルタリング／振り分け部２−１に指示する。
【００２９】
パケットフィルタリング／振り分け部３−２は、ＩＧＭＰ／ＭＬＤスヌーピング部３−３の指示に従い、階層化マルチキャストパケットの論理リンク識別情報（ＬＬＩＤ）（図３ではＬＬＩＤ＝ｘ  ｏｒ  ｙ  ｏｒ  ｚ）を有するパケットを、階層化マルチキャスト用ＱｏＳ部３−４へ、自装置の論理リンク識別情報（ＬＬＩＤ）を有する通常のユニキャスト・ブロードキャストパケットを、通常ユニキャスト／ブロードキャストパケットクラシファイヤー部３−５へ振り分けて送出する。
【００３０】
階層化マルチキャスト用ＱｏＳ部３−４では、入力された階層化マルチキャストパケットを、階層クラス分け部３−４１により、論理リンク識別情報（ＬＬＩＤ）に従って基本階層と各拡張階層とにクラス分けし、各々のキュー３−４３〜３−４３２に振り分けて格納する。図３の構成例では、基本階層、拡張階層１及び拡張階層２から成る階層化マルチキャストパケットを受信する例を示し、入力された階層化マルチキャストパケットを、基本階層用キュー３−４３、拡張階層１用キュー３−４３１、拡張階層２用キュー３−４３２に振り分ける構成例を示している。
【００３１】
基本階層用キュー３−４３、拡張階層１用キュー３−４３１及び拡張階層２用キュー３−４３２に格納された各階層化マルチキャストパケットは、ＱｏＳ部３−４５により優先度に応じた送出制御が行われた後、ＱｏＳ部３−６内の予め設定されたキューに出力される。図３では、階層化マルチキャストパケットがＱｏＳ部３−６のキュー２に格納される例を示している。
【００３２】
また、各拡張階層のキュー３−４３１，３−４３２は、キュー流量監視部３−４４により平均キュー長が監視され、平均キュー長が閾値を越えた場合、キュー流量監視部３−４４は、ネットワークの輻輳が発生していると判断し、該当する拡張階層キューの前段のフィルタ３−４２１，３−４２２により、各拡張階層のパケットの各キューへの流入をフィルタリングし、平均キュー長が閾値以下になった場合に、ネットワークの輻輳が解消されたと判断し、該当する拡張階層のフィルタリングを解除する。
【００３３】
ＱｏＳ部３−６は、キュー１〜キュー４に格納された階層化マルチキャスト及び通常のユニキャストパケット・ブロードキャストの欠くパケットに対して、優先度に応じたＱｏＳ処理を行い、下位の装置への各パケットの転送を行う。
【図面の簡単な説明】
【００３４】
【図１】本発明のマルチキャスト通信システムの構成を示す図である。
【図２】本発明の局側終端装置（ＯＬＴ）の機能ブロックを示す図である。
【図３】本発明の加入者側終端装置（ＯＮＵ）の機能ブロックを示す図である。
【符号の説明】
【００３５】
１−１  局側終端装置（ＯＬＴ：Optical Line Terminal）
１−２  加入者側終端装置（ＯＮＵ：Optical Network Unit）
１−３  光スプリッタ
１−４  上位ネットワーク
１−５  階層化マルチキャスト送信装置
１−６  マルチキャスト受信装置
【図１】
2008219706.tif 000003
【図２】
2008219706.tif 000004
【図３】
2008219706.tif 000005